(57)【特許請求の範囲】
【請求項１】
押し下げヘッド（２０）の押し下げによりポンプ室が加圧されて吸い込み弁（５０）が閉じられると共に、吐出弁（４０）が開かれてポンプ室内の液体が押し下げヘッド（２０）のノズル（２２）より液体又はミスト状態で射出され、付勢力による押し下げヘッド（２０）の上昇によりポンプ室が負圧化されて吐出弁（４０）が閉じられると共に、吸い込み弁（５０）が開かれて容器内の液体をポンプ室内に吸引する往復ポンプ式の液体射出器において、ノズル（２２）に連通する吸い戻し室（２３）を有するヘッド本体（２１）と、この吸い戻し室（２３）とポンプ室を中央の連通路（３４）により連通する中継部材（３０）により押し下げヘッド（２１）を構成すると共に、この中継部材（３０）の端部を吸い戻し室（２３）の先細り状の内周面を有する入路（２４）の中途まで挿入可能な形状からなる弾性変形可能な先細り状の挿入部（３２）とし、ヘッド本体（２１）の押し下げによる変形により中継部材（３０）の挿入部（３２）が吸い戻し室（２３）の入路（２４）に更に押し込まれるようにすると共に、押し下げの解除により形状が復帰した挿入部（３２）が入路（２４）の当初位置に滑り戻されるようにしたことを特徴とする液体射出器。
【発明の詳細な説明】
【０００１】
【発明の属する技術分野】
この発明は液体を噴霧又は射出する往復ポンプ式の液体射出器に関し、より詳細にはノズルに残留した液体の吸い戻し手段に関する。
【０００２】
【従来の技術】
押し下げヘッドの押し下げによりポンプ室が加圧されて吸い込み弁が閉じられると共に、吐出弁が開かれてポンプ室内の液体が押し下げヘッドのノズルより液体又はミスト状態で射出され、付勢力による押し下げヘッドの上昇によりポンプ室が負圧化されて吐出弁が閉じられると共に、吸い込み弁が開かれて容器内の液体をポンプ室内に吸引する往復ポンプ式の液体射出器が広く知られている。
【０００３】
【発明が解決しようとする課題】
この種の液体射出器においては、押し下げヘッドの押し下げによるポンプ室の加圧により射出された液体はノズルより全て射出されることを予定しているが、実際には射出され切らなかった液体がノズル内に残留しやすかった。そこで、射出すべき液体が洗剤、薬品、化粧品等の水以外の溶液である場合、ミストを射出（噴霧）する液体射出器においては乾燥により固化した溶液成分がノズルの目詰まりを生じさせる問題があり、液体のまま射出する液体射出器においては残留した溶液が液垂れして周囲を汚す問題があった。
【０００４】
そこで、従来、容積が可変する吸い戻し室をノズルに連通して設け、ヘッドの押し下げ時にこの吸い戻し室の容積を減少させると共に押し下げ解除時に容積を復帰することにより、復帰時の負圧によりノズルに残留した液体を吸い戻し室内に吸い戻す提案がなされていた。そして、吸い戻し室の容積を可変させる手段として、ヘッドに対し摺動するキャップを被蓋することにより両者間の空間を吸い戻し室とし、このキャップをスプリングにより常時上昇方向に付勢することにより、押し下げにより吸い戻し室の容積を減少させ、押し下げ解除時に吸い戻し室の容積を復帰する発明が公知であった（特開平１０−３４０３６等）。又、ヘッドに対し弾性変形するキャップを被蓋することにより両者間の空間を吸い戻し室とし、押し下げによるキャップの潰れにより吸い戻し室の容積を減少させ、押し下げ解除時のキャップの弾性復帰により吸い戻し室の容積を復帰する発明が公知であった（実公平７−１７４０６、特開平９−３４０３６等）。
【０００５】
しかしながら、前者の発明においてはスプリングも含めて構造が複雑化すると共にヘッドとキャップとのシール手段を充分配慮しなくてはならない問題が生じ、又、後者の発明においては液体の射出を目的とする射出圧力が比較的低圧な液体注出器には適しても、高い射出圧力を要するミストの射出のための液体注出器には加圧時にキャップが不必要に膨張してしまう問題があった。
【０００６】
【課題を解決するための手段】
この発明は、水以外の溶液を射出する液体注出器に特有の以上の問題点を解消した液体注出器を提供することを目的として発明されたものであり、押し下げヘッドの押し下げによりポンプ室が加圧されて吸い込み弁が閉じられると共に、吐出弁が開かれてポンプ室内の液体が押し下げヘッドのノズルより液体又はミスト状態で射出され、付勢力による押し下げヘッドの上昇によりポンプ室が負圧化されて吐出弁が閉じられると共に、吸い込み弁が開かれて容器内の液体をポンプ室内に吸引する往復ポンプ式の液体射出器において、次の発明を開示する。
【０００７】
即ち、この発明はノズルに残留した液体の吸い戻し手段に関するものであり、ノズルに連通する吸い戻し室を有するヘッド本体と、この吸い戻し室とポンプ室を中央の連通路により連通する中継部材により押し下げヘッドを構成すると共に、この中継部材の端部を吸い戻し室の先細り状の内周面を有する入路の中途まで挿入可能な形状からなる弾性変形可能な先細り状の挿入部とし、ヘッド本体の押し下げによる変形により中継部材の挿入部が吸い戻し室の入路に更に押し込まれるようにすると共に、押し下げの解除により形状が復帰した挿入部が入路の当初位置に滑り戻されるようにしたことを特徴とする。
【０００８】
【発明の実施の形態】
以下、この発明の液体注出器の具体的実施例を添付図面に基づいて説明する。図１はこの発明の液体注出器の非加圧状態を示す図である。この液体注出器は液体容器に螺合等の手段により装着されるキャップ１に下端を吸い込みパイプ（図示せず）に連通した往復ポンプ１０を設け、付勢力に抗してピストンを押し下げると共にノズル２２を側方に設けた押し下げヘッド２０をこの往復ポンプの上方に設け、往復ポンプの液体容器側に吸い込み弁５０を、同じく押し下げヘッド２０側には吐出弁４０を設けた従来公知の基本構造を有する。
【０００９】
往復ポンプ１０は、キャップ１内に垂設される下部シリンダー１１と、このシリンダー内を摺動する小径ピストン部１３を下方に設けた下部摺動管１２と、この下部摺動管に対して摺動自在に外挿されると共に、後記する押し下げヘッドの中継部材３０のシリンダー部３５内を摺動する大径ピストン部１５を上方に設けた上部摺動管１４を有し、下部シリンダー１１内に設けたコイルスプリング１７により下部摺動管１２を上昇方向に付勢することにより、この下部摺動管の外周中途に設けた当接段部１２Ａに下端が係合する上部摺動管１４も上昇方向に付勢される。この場合、中継部材３０はそのシリンダー部３５がキャップ１の上方より突設される内側張り出し筒部２内を摺動すると共に、下端外周に設けたフランジ部３５Ａが内側張り出し筒部２内周に設けた当接段部２Ａに当接することにより上昇限度が規制され、これに伴い上部摺動管１４及び下部摺動管１２の上昇限度も規制されることとなる。そして、下部摺動管１２下方の小径ピストン部１３と下部シリンダー１１下方の吸い込み弁５０間には小径ポンプ室Ａが構成されると共に、上部摺動管１４上方の大径ピストン部１５と中継部材３０のシリンダー部３５上方の吐出弁４０間には大径ポンプ室Ｂが構成され、両ポンプ室は下部摺動管及び上部摺動管の中空部を介して連通されることによりポンプ室が構成される。
【００１０】
吸い込み弁５０は下部シリンダー１１下方に設けた弁孔５６を、球５１によりシリンダー内部方向から閉止する構成よりなる。一方、吐出弁４０は中継部材３０のシリンダー室３５上方に設けた弁孔４２を、上部摺動管１４上方中央に設けた円錐状の弁体４１によりシリンダー内部方向から閉止する構成よりなる。
【００１１】
この発明においては押し下げヘッド２０はノズル２２に連通する吸い戻し室２３を有するヘッド本体２１と、この吸い戻し室とポンプ室を中央の連通路３４により連通する中継部材３０から構成される。この中継部材３０は前記したシリンダー部３５を下方に垂設すると共に、シリンダー部の吐出弁の弁孔４２に連通する連通路３４を有する中継筒部３１を上方に立設した構成よりなる。そして、中継筒部３１の先端はヘッド本体の吸い戻し室２３の入路２４に挿入すべき挿入部３２とされる。この場合、ヘッド本体２１は押し下げ時にキャップ１の上方より突設される外側張り出し筒部３内を摺動すると共に、下端外周に設けたフランジ部２１Ａが外側張り出し筒部３内周に設けた当接段部３Ａに当接することにより上昇限度が規制される。よって、前記した下部摺動管１２、上部摺動管１４を介してコイルスプリング１７により上昇方向に付勢される中継部材３０は、その中継筒部３１の先端の挿入部３２がヘッド本体の吸い戻し室２３の入路２４に常に当接し、ヘッド本体２１を上昇限度まで押し上げることとなる。
【００１２】
以上の構成において、コイルスプリング１７の付勢力に抗してヘッド本体２１を押し下げると、大径ピストン部１５を有する上部摺動管１４と小径ピストン部１３を有する下部摺動管１２が下降し、大径ポンプ室Ｂと小径ポンプ室Ａからなるポンプ室内の液体は圧縮される。そして、この場合、更に押し下げることにより、両ポンプ室の内径差により小径ピストン部１３を有する下部摺動管１２が大径ピストン部１５を有する上部摺動管１４に対し下降することとなり、吐出弁４０が開かれ、液体が射出ノズル２２より射出される。そして、ヘッド本体２１を押し下げ限度まで押し下げると吐出弁４０は閉じられ（図２参照）、押し下げを解除することにより、コイルスプリング１７の付勢力により小径ピストン部１３を有する下部摺動管１２と大径ピストン部１５を有する上部摺動管１４が上昇し、ポンプ室内が負圧化して吸い込み弁５０が開かれ、容器内の液体がポンプ室内に吸い上げられる。
【００１３】
一方、この発明においては、ヘッド本体の吸い戻し室２３の入路２４は先細り状の内周面を有する構成とされると共に、中継部材の中継筒部３１の先端の挿入部３２はこの入路２４の中途まで挿入可能な形状からなる弾性変形可能な先細り状とされる。尚、この実施例においては頭部を切り落とした円錐形状をもって先細り状の形状とし、挿入部３２を含む中継部材３０全体を比較的軟質なプラスチックにより一体成形することにより弾性変形可能としている。
【００１４】
上記の構成において、液体の抽出のためにヘッド本体２１を付勢力に抗して押し下げると、コイルバネ１７の圧縮とポンプ室の内圧の高まりにより中継部材の中継筒部３１の挿入部３２はヘッド本体の吸い戻し室２３の入路２４により強い力で当接して入路内に進入しようとする。この場合、挿入部３２が硬質素材である場合は進入が阻止されるが、上記の通り挿入部は弾性変形可能な先細り状となっているので、先細り状の入路２４に押しつけられることにより収縮方向に変形し更に入路に押し込まれることとなり、その結果押し込まれた分に対応して吸い戻し室２３の容積は減少する（図３参照）。そして、液体の抽出後ヘッド本体の押し下げ力を解除することによって、入路２４に押しつけられていた挿入部３２の形状が復帰し、この場合、入路及び挿入部は共に先細状の形状なので中継部材３０に対してヘッド本体２１が当初位置まで滑り戻されることにより、滑り戻された距離Ｌ分に対応して吸い戻し室２３の容積は増加する（図４参照）。よって、容積が増加した吸い戻し室２３は負圧化し、ノズル２２に残留していた液体は吸い戻し室内に吸い戻されることとなる。
【００１５】
以上の場合において、中継部材の中継筒部３１の挿入部３２は中央の連通路３４においてのみヘッド本体の吸い戻し室２３の入路２４に連通され、挿入部外周と入路内周間は水密に保たれなければならないことはいうまでもない。一方、使用者においてヘッド本体２１を必ずしも垂直に押し下げるとは限らず、傾いて押し下げる可能性もあり、この場合には中継筒部３１の挿入部３２が吸い戻し室２３の入路２４に予定位置において当接しない危険がある。そこで、この実施例においては、ヘッド本体２１吸い戻し室２３の入路２４の開口の下方に中継筒部３１を覆う筒部２４を垂設すると共に、中継筒部中途外周にこの筒部の内周壁面に摺接する支持スカート部３３を設けている。その結果、中継筒部３１はヘッド本体２１の押し下げ角度に常に追従することにより、挿入部３２が吸い戻し室２３の入路２４の予定位置に正しく当接することとなる。又、仮に挿入部３２の外周と入路２４の内周から液体が洩れた場合でも、中継筒部の支持スカート部３３により受け止め、それ以上の外部への進入を防止する。
【００１６】
【発明の効果】
以上の構成よりなるこの発明の液体射出器は次の特有の効果を奏する。
▲１▼容積が可変する吸い戻し室によりノズルに残留する液体を吸い戻すので、液体が残留し、乾燥により固化によるノズルの目詰まりを生じさせる事態が一掃される。
【００１７】
▲２▼押し下げヘッドに対し摺動するキャップを被蓋することにより吸い戻し室の容積を可変する手段を採用せず、吸い戻し室の先細り状の内周面を有する入路に、この中途まで挿入可能な形状からなる弾性変形可能な先細り状の挿入部を挿入することにより吸い戻し室の容積を可変する手段としているので、スプリングが不要となることにより構造が簡易になり、又、ヘッドとキャップとのシール手段を考慮する必要も無くなる。
【図面の簡単な説明】
【図１】この発明の液体射出器の押し下げヘッドの最上昇時の断面図。
【図２】同上、押し下げヘッドの最下降時の断面図。
【図３】同上、第１発明の要部を示す吸い戻し室の容積の減少時の断面図。
【図４】同上、吸い戻し室の容積の通常時の断面図。
【符号の説明】
２０          押し下げヘッド
２１          ヘッド本体
２２          ノズル
２３          吸い戻し室
２４          入路
３０          中継部材
３２          挿入部
４０          吐出弁
５０          吸い込み弁
【図１】
0004236748.tif 000002
【図２】
0004236748.tif 000003
【図３】
0004236748.tif 000004
【図４】
0004236748.tif 000005